(57)【要約】  【課題】  紙等の媒体にプリントされた写真を複写機でコピーする感覚で良質な写真を得るとともに、そこで得られた写真を用いて良質な写真を無制限に得ることを抑制する。  【解決手段】  プリント要求された写真データを取得する写真データ取得手段１０１と、写真データに基づく印刷の許可レベルを示す許可情報を受け付ける許可情報受付手段１０２と、所在情報を生成する所在情報生成手段１０３と、写真データを所在情報が示す保存場所に保存する写真データ保存手段１０４と、所在情報および許可情報を写真データに埋め込む所在・許可情報埋め込み手段１０５と、写真データに基づく写真の印刷を指示する印刷指示手段１０６と、コピー要求された写真から所在情報および許可情報を取得する所在・許可情報取得手段１０７と、許可情報により印刷が許可されると判断される場合に所在情報が示す保存場所から写真データを読み出す写真データ読み出し手段１０８とを備えた。  【選択図】  図２
2005066950.tif 000002
【特許請求の範囲】
【請求項１】
写真データに基づく写真の印刷要求に応じて、当該写真データを所定の保存場所に保存する写真データ保存手段と、
前記写真データ保存手段により保存された前記写真データに基づく印刷の許可レベルを特定するための情報を前記写真データに埋め込むことで情報付き写真データを生成する情報埋め込み手段と、
前記情報埋め込み手段により生成された前記情報付き写真データに基づく情報付き写真の印刷を指示する印刷指示手段と
を備えたことを特徴とする写真印刷制御装置。
【請求項２】
前記印刷の許可レベルを示す許可情報を受け付ける許可情報受付手段を更に備え、
前記情報埋め込み手段は、前記許可レベルを特定するための情報として、前記許可情報受付手段が受け付けた前記許可情報を前記写真データに埋め込むことを特徴とする請求項１記載の写真印刷制御装置。
【請求項３】
前記写真データを一意に識別する識別情報を生成する識別情報生成手段と、
前記印刷の許可レベルを示す許可情報を受け付ける許可情報受付手段と、
前記識別情報生成手段により生成された前記識別情報と前記許可情報受付手段が受け付けた前記許可情報との対応を含む写真管理情報を保存する写真管理情報保存手段と
を更に備え、
前記情報埋め込み手段は、前記許可レベルを特定するための情報として、前記識別情報生成手段により生成された前記識別情報を前記写真データに埋め込むことを特徴とする請求項１記載の写真印刷制御装置。
【請求項４】
前記情報埋め込み手段は、前記許可レベルを特定するための情報として、前記写真データに基づく印刷の許可・不許可・条件付き許可のうちの指定された情報を埋め込むことを特徴とする請求項１記載の写真印刷制御装置。
【請求項５】
写真データに基づく写真の印刷要求に応じて、当該写真データを所定の保存場所に保存する写真データ保存手段と、
前記写真データに基づく写真の印刷を指示する印刷指示手段と、
前記印刷指示手段の指示により前記写真が印刷された媒体に予め付されていた識別情報を取得する識別情報取得手段と、
前記識別情報取得手段により取得された前記識別情報と前記写真データに基づく印刷の許可レベルを示す許可情報との対応を含む写真管理情報を保存する写真管理情報保存手段と
を備えたことを特徴とする写真印刷制御装置。
【請求項６】
前記識別情報取得手段は、前記写真が印刷された媒体に予め印刷されていた文字を認識することにより、前記識別情報を取得することを特徴とする請求項５記載の写真印刷制御装置。
【請求項７】
前記識別情報取得手段は、前記写真が印刷された媒体に予め埋め込まれていた無線ＩＣチップから情報を読み取ることにより、前記識別情報を取得することを特徴とする請求項５記載の写真印刷制御装置。
【請求項８】
写真のコピー要求に応じて、当該写真から、当該写真の元となる写真データに基づく印刷の許可レベルを特定するための情報を取得する情報取得手段と、
前記情報取得手段により取得された前記情報で特定される前記許可レベルにより、前記写真データに基づく印刷が許可されると判断された場合に、所定の保存場所から当該写真データを読み出す写真データ読み出し手段と、
前記写真データ読み出し手段により読み出された前記写真データに基づく写真の印刷を指示する印刷指示手段と
を備えたことを特徴とする写真印刷制御装置。
【請求項９】
前記情報取得手段は、前記許可レベルを特定するための情報として、前記写真に埋め込まれた当該許可レベルを示す許可情報を取得し、
前記写真データ読み出し手段は、前記情報取得手段により取得された前記許可情報により、前記写真データに基づく印刷が許可されると判断された場合に、所定の保存場所から当該写真データを読み出すことを特徴とする請求項８記載の写真印刷制御装置。
【請求項１０】
前記情報取得手段は、前記許可レベルを特定するための情報として、前記写真に付された当該写真を一意に識別するための識別情報を取得し、
前記写真データ読み出し手段は、前記情報取得手段により取得された前記識別情報に予め対応付けられた前記許可レベルを示す許可情報により、前記写真データに基づく印刷が許可されると判断された場合に、所定の保存場所から当該写真データを読み出すことを特徴とする請求項８記載の写真印刷制御装置。
【請求項１１】
写真のコピー要求に応じて、当該写真から、当該写真の元となる写真データに基づく印刷の許可レベルを特定するための情報を取得する情報取得手段と、
前記情報取得手段により取得された前記情報で特定される前記許可レベルにより、前記写真データに基づく印刷が許可されると判断された場合に、所定の保存場所から当該写真データを読み出す写真データ読み出し手段と、
前記写真データ読み出し手段により読み出された前記写真データに、当該写真データに基づく印刷の許可レベルを特定するための情報を埋め込むことで生成した情報付き写真データに基づく写真の印刷を指示する印刷指示手段と
を備えたことを特徴とする写真印刷制御装置。
【請求項１２】
前記印刷指示手段は、前記許可レベルを特定するための情報として、指定された許可レベルを示す許可情報を前記写真データに埋め込むことで生成した情報付き写真データに基づく写真の印刷を指示することを特徴とする請求項１１記載の写真印刷制御装置。
【請求項１３】
前記印刷指示手段は、前記許可レベルを特定するための情報として、指定された許可レベルを示す許可情報に対応付けられた識別情報を前記写真データに埋め込むことで生成した情報付き写真データに基づく写真の印刷を指示することを特徴とする請求項１１記載の写真印刷制御装置。
【請求項１４】
写真データに基づく写真の印刷要求に応じて、当該写真データを所定の保存場所に保存するステップと、
保存された前記写真データに基づく印刷の許可レベルを特定するための情報を前記写真データに埋め込むことで情報付き写真データを生成するステップと、
生成された前記情報付き写真データに基づく情報付き写真の印刷を指示するステップと
を含むことを特徴とする写真印刷制御方法。
【請求項１５】
写真データに基づく写真の印刷要求に応じて、当該写真データを所定の保存場所に保存するステップと、
前記写真データに基づく写真の印刷を指示するステップと、
前記指示により前記写真が印刷された媒体に予め付されていた識別情報を取得するステップと、
取得された前記識別情報と前記写真データに基づく印刷の許可レベルを示す許可情報との対応を含む写真管理情報を保存するステップと
を含むことを特徴とする写真印刷制御方法。
【請求項１６】
写真のコピー要求に応じて、当該写真から、当該写真の元となる写真データに基づく印刷の許可レベルを特定するための情報を取得するステップと、
取得された前記情報で特定される前記印刷の許可レベルにより、前記写真データに基づく印刷が許可されると判断された場合に、所定の保存場所から当該写真データを読み出すステップと、
読み出された前記写真データに基づく写真の印刷を指示するステップと
を含むことを特徴とする写真印刷制御方法。
【請求項１７】
コンピュータに、
写真データに基づく写真の印刷要求に応じて、当該写真データを所定の保存場所に保存する機能と、
保存された前記写真データに基づく印刷の許可レベルを特定するための情報を前記写真データに埋め込むことで情報付き写真データを生成する機能と、
生成された前記情報付き写真データに基づく情報付き写真の印刷を指示する機能と
を実現させるためのプログラム。
【請求項１８】
コンピュータに、
写真データに基づく写真の印刷要求に応じて、当該写真データを所定の保存場所に保存する機能と、
前記写真データに基づく写真の印刷を指示する機能と、
前記指示により前記写真が印刷された媒体に予め付されていた識別情報を取得する機能と、
取得された前記識別情報と前記写真データに基づく印刷の許可レベルを示す許可情報との対応を含む写真管理情報を保存する機能と
を実現させるためのプログラム。
【請求項１９】
コンピュータに、
写真のコピー要求に応じて、当該写真から、当該写真の元となる写真データに基づく印刷の許可レベルを特定するための情報を取得する機能と、
取得された前記情報で特定される前記印刷の許可レベルにより、前記写真データに基づく印刷が許可されると判断された場合に、所定の保存場所から当該写真データを読み出す機能と、
読み出された前記写真データに基づく写真の印刷を指示する機能と
を実現させるためのプログラム。
【発明の詳細な説明】
【技術分野】
【０００１】
本発明は、デジタルカメラ等により記録された写真データに基づく写真のプリント機能、または、プリント機能によりプリントされた写真のコピー機能を有する写真印刷制御装置等に関する。
【背景技術】
【０００２】
Ｌ判サイズ等の紙にプリントした写真をコピーする必要が生じた場合、その写真の元となるデジタルデータである写真データがあれば、それをもとに再度プリントすることは可能である。しかし、そのような写真データがない場合、従来は、複写機を用いてその写真をそのままコピーするしかなかった(例えば、特許文献１参照。)。
【０００３】
【特許文献１】特開２００３−０９８９１５号公報(第５−６頁、図２)
【発明の開示】
【発明が解決しようとする課題】
【０００４】
複写機を用いて写真のコピーを行った場合の第１の問題点は、写真の画質が劣化するという点である。近年の複写技術の発達に伴い、ある程度鮮明なコピーは得られるようになってきているが、オリジナルの写真データに基づきプリントしたものに比べれば、写真をコピーしたものは、紙上で写真をスキャンしている分、どうしても画質が劣化するのは避けられない。また、紙にプリントした写真には、時間の経過に伴って、色褪せ等の変化が生じる。従って、そのような変化があった後の写真をそのままコピーしたとしても、画質の悪い写真しか得られない。
【０００５】
また、複写機を用いて写真のコピーを行った場合の第２の問題点は、像欠けが発生するという点である。複写機は、写真がプラテン上に若干のズレや回転を伴って置かれることを想定して若干大きめの範囲をスキャンし、その後、ズレや回転による影響が現れている周辺部についてはカットするのが一般的である。従って、縁無しの写真をコピーした場合、写真の周辺部が切り取られるということが起こり得る。特許文献１においても、縁無し写真の像欠けに対する対処を行っているが、写真の走査倍率を調整して写真の周辺部が欠如しないようにしているだけであり、オリジナルの写真の大きさのままで像欠けのない写真を得たいという要求に応えられるものではない。
【０００６】
更に、特許文献１を始めとした従来の技術では、プリントした写真のコピーを抑制する手段や、その更なるコピー(いわゆる孫コピー)を抑制する手段は設けられておらず、１つのオリジナルの写真を出発点として、無制限にコピーが得られてしまうという問題点もあった。
【０００７】
本発明は、以上のような技術的課題を解決するためになされたものであって、その目的は、紙等の媒体にプリントされた写真を複写機でコピーする感覚で良質な写真を得られるようにするとともに、そこで得られた写真を用いて良質な写真を無制限に得ることを抑制できるようにすることにある。
【課題を解決するための手段】
【０００８】
かかる目的のもと、本発明は、写真データに基づく写真のプリント時に、写真データを自マシンまたはネットワーク上のサーバコンピュータ(以下、単に「サーバ」という)に保存し、その保存された写真データに基づく印刷の許可レベルの情報を写真に埋め込んで残しておくというものである。即ち、本発明の第１の側面の写真印刷制御装置は、写真データに基づく写真の印刷要求に応じて、その写真データを所定の保存場所に保存する写真データ保存手段と、この写真データ保存手段により保存された写真データに基づく印刷の許可レベルを特定するための情報を写真データに埋め込むことで情報付き写真データを生成する情報埋め込み手段と、この情報埋め込み手段により生成された情報付き写真データに基づく情報付き写真の印刷を指示する印刷指示手段とを備えている。
【０００９】
また、本発明は、写真データに基づく写真のプリント時に、写真データを自マシンまたはネットワーク上のサーバに保存し、その保存された写真データに基づく印刷の許可レベルの情報をそのマシンまたはサーバに残しておくというものでもある。即ち、本発明の第２の側面の写真印刷制御装置は、写真データに基づく写真の印刷要求に応じて、その写真データを所定の保存場所に保存する写真データ保存手段と、その写真データに基づく写真の印刷を指示する印刷指示手段と、この印刷指示手段の指示により写真が印刷された媒体に予め付されていた識別情報を取得する識別情報取得手段と、この識別情報取得手段により取得された識別情報と写真データに基づく印刷の許可レベルを示す許可情報との対応を含む写真管理情報を保存する写真管理情報保存手段とを備えている。
【００１０】
更に、本発明は、写真のコピー要求時に、上記のようにして残された印刷の許可レベルの情報に基づき印刷が許可されるかどうか判断し、印刷が許可される場合に自マシンまたはサーバから写真データを読み出し、印刷するものである。即ち、本発明の第３の側面の写真印刷制御装置は、写真のコピー要求に応じて、その写真から、その写真の元となる写真データに基づく印刷の許可レベルを特定するための情報を取得する情報取得手段と、この情報取得手段により取得された情報で特定される許可レベルにより、その写真データに基づく印刷が許可されると判断された場合に、所定の保存場所からその写真データを読み出す写真データ読み出し手段と、この写真データ読み出し手段により読み出された写真データに基づく写真の印刷を指示する印刷指示手段とを備えている。
【００１１】
また、本発明は、写真印刷制御装置における方法として捉えることもできる。その場合、本発明の第１の側面の写真印刷制御方法は、写真データに基づく写真の印刷要求に応じて、その写真データを所定の保存場所に保存するステップと、保存された写真データに基づく印刷の許可レベルを特定するための情報を写真データに埋め込むことで情報付き写真データを生成するステップと、生成された情報付き写真データに基づく情報付き写真の印刷を指示するステップとを含んでいる。
【００１２】
更にまた、本発明の第２の側面の写真印刷制御方法は、写真データに基づく写真の印刷要求に応じて、その写真データを所定の保存場所に保存するステップと、その写真データに基づく写真の印刷を指示するステップと、この指示により写真が印刷された媒体に予め付されていた識別情報を取得するステップと、取得された識別情報と写真データに基づく印刷の許可レベルを示す許可情報との対応を含む写真管理情報を保存するステップとを含んでいる。
【００１３】
また、本発明の第３の側面の写真印刷制御方法は、写真のコピー要求に応じて、その写真から、その写真の元となる写真データに基づく印刷の許可レベルを特定するための情報を取得するステップと、取得された情報で特定される印刷の許可レベルにより、その写真データに基づく印刷が許可されると判断された場合に、所定の保存場所からその写真データを読み出すステップと、読み出された写真データに基づく写真の印刷を指示するステップとを含んでいる。
【００１４】
一方、本発明は、コンピュータに写真印刷制御機能を実現させるためのコンピュータプログラムとして捉えることもできる。その場合、本発明の第１の側面のプログラムは、コンピュータに、写真データに基づく写真の印刷要求に応じて、その写真データを所定の保存場所に保存する機能と、保存された写真データに基づく印刷の許可レベルを特定するための情報を写真データに埋め込むことで情報付き写真データを生成する機能と、生成された情報付き写真データに基づく情報付き写真の印刷を指示する機能とを実現させる。
【００１５】
また、本発明の第２の側面のプログラムは、コンピュータに、写真データに基づく写真の印刷要求に応じて、その写真データを所定の保存場所に保存する機能と、その写真データに基づく写真の印刷を指示する機能と、この指示により写真が印刷された媒体に予め付されていた識別情報を取得する機能と、取得された識別情報と写真データに基づく印刷の許可レベルを示す許可情報との対応を含む写真管理情報を保存する機能とを実現させる。
【００１６】
更に、本発明の第３の側面のプログラムは、コンピュータに、写真のコピー要求に応じて、その写真から、その写真の元となる写真データに基づく印刷の許可レベルを特定するための情報を取得する機能と、取得された情報で特定される印刷の許可レベルにより、その写真データに基づく印刷が許可されると判断された場合に、所定の保存場所からその写真データを読み出す機能と、読み出された写真データに基づく写真の印刷を指示する機能とを実現させる。
【発明の効果】
【００１７】
本発明によれば、紙等の媒体にプリントされた写真を複写機でコピーする感覚で良質な写真を得られるようになるとともに、そこで得られた写真を用いて良質な写真を無制限に得ることを抑制できるようになる。
【発明を実施するための最良の形態】
【００１８】
以下、添付図面を参照して、本発明の実施の形態について詳細に説明する。
図１は、本発明の実施の形態が適用されるシステムのハードウェア構成の一例を示したものである。このシステムは、処理装置１０と、メディアリーダ２０と、ＵＩ(ユーザインターフェース)部３０と、記録装置４０と、複写機５０とから構成される。
【００１９】
処理装置１０は、例えば、パーソナルコンピュータであり、図示しないが、中央処理装置(ＣＰＵ)、メインメモリ、これらを結合するバス等を含んでいる。
メディアリーダ２０は、フラッシュメモリ等のデジタルカメラで用いられる記録媒体から、写真データを読み出す機能を有するものである。
ＵＩ部３０は、ユーザが情報の入出力を行うための操作部であり、例えば、タッチパネルディスプレイである。
記録装置４０は、例えば、ハードディスクデバイス(ＨＤＤ)であり、写真データの保存場所として機能するほか、処理装置１０を制御するプログラムや、その制御に必要となるデータの格納場所としても機能する。
複写機５０は、プラテン上に配置された原稿を読み取るスキャナ部５１と、その読み取ったイメージを用紙に転写して出力するプリンタ部５２とを含む複写機である。また、スキャナ部５１は、プラテン上に配置された原稿の表面・裏面を同時に読み取る両面スキャナであってもよく、また、プリンタ部５２は、用紙の表面・裏面に一回の操作で別々のデータを印刷する両面プリンタであってもよい。
【００２０】
本実施の形態は、紙等の媒体にプリントされた写真を複写機でコピーする感覚で良質な写真を得られるようにし、かつ、そこで得られた写真を用いて良質な写真を無制限に得ることを抑制できるようにするために、写真データに基づく写真のプリント時に、写真データを自マシンまたはサーバに保存し、その保存された写真データを読み出すための手がかりとなる情報と、その写真データに基づく印刷の許可レベルの情報とを残しておくといものである。
以下、その具体的な実施の形態について述べる。なお、以下では、写真はＬ判サイズ等の紙に印刷するものとして説明する。
【００２１】
（第１の実施の形態）
まず、本実施の形態における処理装置１０の機能構成について説明する。
図２は、処理装置１０の機能構成を示したブロック図である。
図２に示すように、本実施の形態は、メディアリーダ２０で読み取られた写真データの中からＵＩ部３０を介して指定された写真データを取得する写真データ取得手段１０１と、プリントされた写真をスキャンすることにより写真データに基づく印刷をどの程度許可するかを示す許可情報を受け付ける許可情報受付手段１０２と、写真データの保存場所を示す所在情報を生成する所在情報生成手段１０３と、その所在情報が示す保存場所に写真データを保存する写真データ保存手段１０４と、所在情報および許可情報を写真データに埋め込む所在・許可情報埋め込み手段１０５と、指定された印刷データに基づく印刷の指示をプリンタ部５２に対して行う印刷指示手段１０６と、スキャナ部５１が読み取った画像の中から所在情報および許可情報を取得する所在・許可情報取得手段１０７と、その許可情報により写真データに基づく印刷が許可されると判断される場合にその所在情報が示す保存場所から写真データを読み出す写真データ読み出し手段１０８とを備えている。
【００２２】
なお、所在・許可情報埋め込み手段１０５は、写真データの保存場所および写真データに基づく印刷の許可レベルを特定するための情報を埋め込む情報埋め込み手段として捉えることもできる。また、所在情報および許可情報が埋め込まれた写真データは、写真データの保存場所および写真データに基づく印刷の許可レベルを特定するための情報が埋め込まれた情報付き写真データとして捉えることもできる。
また、所在・許可情報取得手段１０７は、スキャンした写真の元となる写真データの保存場所およびその写真データに基づく印刷の許可レベルを特定するための情報を取得する情報取得手段として捉えることもできる。
【００２３】
次に、本実施の形態における処理装置１０の処理動作について説明する。
図３は、写真データに基づくプリント処理の動作を示すフローチャートである。
まず、処理装置１０は、メディアリーダ２０を介して記録媒体に記録された写真のインデックス情報(例えば、サムネイル画像)を読み取り、ＵＩ部３０に表示する(ステップ３０１)。次に、ユーザが、表示されたインデックス情報を参照しながら、プリントしたい写真について枚数、許可情報、保存期間を指定すると、処理装置１０はＵＩ部３０を介してその指定を受け付ける(ステップ３０２)。なお、許可情報とは、プリントされた写真をスキャンすることにより写真データに基づく印刷をどの程度許可するかを示す許可レベルの情報である。具体的には、プリントされた写真をスキャンすることにより写真データに基づく印刷を一切許可しない「コピー禁止」、プリントされた写真をスキャンすることにより写真データに基づく印刷を無条件に許可する「コピー許可」、プリントされた写真をスキャンすることにより写真データに基づく印刷をパスワードの一致を条件に許可する「パスワード付きコピー許可」のいずれかを指定することができる。このような許可情報の指定がなされると、許可情報受付手段１０２がそれを受け付ける。そして、処理装置１０は、全ての写真について、選択が完了したかどうかを判断し(ステップ３０３)、完了していない場合は、ステップ３０２に戻り、完了した場合は、ユーザからプリント開始の指示を受け付ける(ステップ３０４)。
【００２４】
これにより、写真データ取得手段１０１は、ユーザが選択した写真の写真データを、メディアリーダ２０を介して記録媒体から取得する。
次に、所在情報生成手段１０３は、写真データ取得手段１０１が取得した写真データの１つについて、その写真データを保存する保存場所を示す所在情報を生成する(ステップ３０５)。ここで、所在情報とは、写真データを自マシンに保存するのであれば、自マシンにおけるディレクトリ、ファイルの情報である。また、サーバに保存するのであれば、ＵＲＬ(Uniform Resource Locator)が考えられる。
【００２５】
写真データ保存手段１０４は、この生成された所在情報により示される保存場所に写真データを保存する(ステップ３０６)。なお、この時、写真データを保存するコンピュータに対し、その写真データの保存期間を伝え、その保存期間が経過したら、写真データを自動的に削除するようにしてもよい。
また、所在・許可情報埋め込み手段１０５は、所在情報および許可情報を写真データにWatermarkとして埋め込む(ステップ３０７)。なお、許可情報として「パスワード付きコピー許可」が指定された場合、Watermarkとしてユーザが指定したパスワードも埋め込まれる。
最後に、印刷指示手段１０６は、Watermarkが埋め込まれた写真を印刷データに設定し、プリンタ部５２に写真のプリントを指示する(ステップ３０８)。
そして、処理装置１０は、次の写真があるかどうかが判断し(ステップ３０９)、次の写真がある場合は、ステップ３０５に戻り、次の写真がない場合は、処理を終了する。
【００２６】
このような処理を行った結果、プリンタ部５２では、所在情報および許可情報を示すWatermarkが埋め込まれた写真がプリントされることになる。図４は、このようにしてプリントされた写真の一例を示す。Watermarkは、円形で拡大した領域に示すように、例えば、ドットパターンで表される。このドットパターンは、写真を見る人間の眼にはその存在が感知できないようになっている。
また、ドットパターンは、それが写真データに自然に現れるドットパターンではなく、意図的に埋め込まれたドットパターンであることが認識できるようなものでなければならない。そのようなドットパターンの埋め込み方法としては、第一に、写真の濃度の薄い領域に黒色のドットパターンを埋め込むことが考えられる。例えば、写真の日付(図４の「０３．０７．０７」)の白抜きの部分に、細かいドットのパターンを埋め込む等である。また、第二に、ある程度の範囲に亘って同色の領域にその色の補色のドットパターンを埋め込むことも考えられる。
但し、Watermarkの埋め込み方は、これに限られるものではなく、Watermarkを埋め込む前と埋め込んだ後とでその違いで人間の眼では感知できず、写真のコピー時にWatermarkを検出できるようなものであれば、いかなる方法を用いてもよい。
【００２７】
図５は、以上のようにしてプリントされた写真のコピー処理の動作を示すフローチャートである。なお、写真にWatermarkがある場合は、厳密には、その写真の元となる写真データに基づく印刷処理の動作となるが、ここでは、そのような処理についても「コピー」という表現を用いることとする。
まず、ユーザが複写機５０のプラテン上にＬ判サイズ等の紙に印刷された写真を載せ、その写真のコピーを要求すると、スキャナ部５１が、その写真をスキャンし(ステップ５０１)、その結果を処理装置１０に受け渡す。次に、所在・許可情報取得手段１０７が、スキャンした写真にWatermarkがあるかどうかを判断する(ステップ５０２)。
【００２８】
所在・許可情報取得手段１０７は、Watermarkがあると判断した場合、そのWatermarkに含まれる許可情報が「コピー禁止」であるか「コピー許可」であるか「パスワード付きコピー許可」であるかを判断する(ステップ５０３)。ここで、「パスワード付きコピー許可」であれば、ユーザにパスワードの入力を促し、パスワードが入力されると、それを受け付け(ステップ５０４)、入力されたパスワードがWatermarkに含まれるパスワードと一致するかどうかを判断する(ステップ５０５)。パスワードが一致する場合、あるいは、ステップ５０３で「コピー許可」であると判断された場合は、写真データ読み出し手段１０８が、Watermarkに含まれる所在情報が示す保存場所に写真データが存在するかどうかを判断する(ステップ５０６)。写真データが存在する場合は、写真データを読み出し(ステップ５０７)、読み出した写真に所在情報および許可情報を示すWatermarkを埋め込み(ステップ５０８)、Watermarkが埋め込まれた写真データを印刷データとして設定する(ステップ５０９)。
【００２９】
なお、ステップ５０８で埋め込むWatermarkとしては、スキャンした写真に埋め込まれていたものをそのまま用いてもよいし、スキャンした写真に埋め込まれた許可情報と異なる許可情報をユーザが指定した場合は、スキャンした写真に埋め込まれていた所在情報とその指定された許可情報とを含む情報を用いることとしてもよい。
【００３０】
一方、ステップ５０２でWatermarkがないと判断した場合、ステップ５０３で許可情報が「コピー禁止」であると判断された場合、ステップ５０５で入力されたパスワードがWatermarkに含まれるパスワードと一致しなかった場合、ステップ５０６で写真データが存在しなかった場合は、ステップ５０１でスキャンされた写真をそのまま印刷データとして設定する(ステップ５１０)。
そして、印刷指示手段１０６が、この印刷データの印刷をプリンタ部５２に指示し(ステップ５１１)、写真の印刷が行われる。
【００３１】
以上により、本実施の形態の動作は終了する。
なお、本実施の形態では、許可情報として「コピー禁止」、「コピー許可」、「パスワード付きコピー許可」の３つを想定したが、許可情報はこれらに限られるものではない。例えば、「パスワード付きコピー許可」は、パスワードの一致を条件とする場合に限らず、一般的に何らかの条件が満たされた場合にコピーを許可する「条件付きコピー許可」と捉えることも可能である。
【００３２】
また、図５のフローチャートでは、ステップ５０８においてWatermarkを埋め込むこととしたが、Watermarkを埋め込むかどうかをユーザに問い合わせ、ユーザが指示した場合にのみWatermarkを埋め込むようにすることもできる。あるいは、コピーのコピーを確実に禁止できるよう、「コピー禁止」を含むWatermarkを無条件に埋め込むことも考えられる。または、ステップ５０８の処理を行わず、Watermarkを埋め込まないようにしてもよい。
【００３３】
更に、図５のフローチャートでは、許可情報を、自マシンまたはサーバに保存された写真データに基づく高品質な写真の印刷を制限するための情報と捉え、ステップ５０３で許可情報が「コピー禁止」であると判断された場合、および、ステップ５０３で許可情報が「パスワード付きコピー許可」であると判断され、その後、ステップ５０５でパスワードが一致しないと判断された場合は、ステップ５１０、５１１へ進み、スキャンデータの印刷は行えるような構成とした。しかしながら、許可情報を、スキャンした写真の通常のコピーをも制限する情報と捉え、以上のような場合は、処理を強制的に終了させるような構成としてもよい。
【００３４】
更にまた、図３のステップ３０７および図５のステップ５０８では所在情報も写真データに埋め込み、図５のステップ５０６では写真に埋め込まれたWatermarkから所在情報を取り出す構成としているが、所在情報については、Watermarkとして埋め込まずに、プリント時には別途の手段により保存し、コピー時には別途の手段により供給する構成としてもよい。
【００３５】
また、本実施の形態によるサービスに対する課金の形態としては、コインキット方式が考えられる。即ち、コイン投入機に所定の金額が投入されたことを条件として、図３のプリント処理の場合は、ステップ３０１〜３０９の処理を、図５のコピー処理の場合は、ステップ５０１〜５１１の処理を行うようにすることができる。
また、写真のプリント時に、写真データの保管サービスに対する課金を行うことも可能である。即ち、ステップ３０２で指定した保存期間に応じた金額の投入をステップ３０４で要求し、この金額の投入を条件としてステップ３０５〜３０９の処理を行うように制御する課金手段を備えることができる。
【００３６】
このように、本実施の形態では、写真のプリント時に写真データを自マシンまたはサーバに保存するとともに、その写真データに基づく印刷の許可レベルを指定し、保存場所を示す所在情報および許可レベルを示す許可情報を写真に埋め込むようにした。これにより、写真のコピー時には、写真に埋め込まれた所在情報および許可情報に基づき、写真データの保存場所および印刷の許可レベルを特定し、印刷が許可される場合に、自マシンまたはサーバにおけるその保存場所から写真データを読み出して印刷することができるため、写真を複写機でコピーする感覚で良質な写真を得られるとともに、そこで得られた写真を用いて良質な写真を無制限に得ることを抑制することが可能となる。
【００３７】
（第２の実施の形態）
まず、本実施の形態における処理装置１０の機能構成について説明する。
図６は、処理装置１０の機能構成を示したブロック図である。
図６に示すように、本実施の形態は、メディアリーダ２０で読み取られた写真データの中からＵＩ部３０を介して指定された写真データを取得する写真データ取得手段１１１と、プリントされた写真をスキャンすることにより写真データに基づく印刷をどの程度許可するかを示す許可情報を受け付ける許可情報受付手段１１２と、写真データの保存場所を示す所在情報を生成する所在情報生成手段１１３と、その所在情報が示す保存場所に写真データを保存する写真データ保存手段１１４と、写真データを一意に識別する識別情報を生成する識別情報生成手段１１５と、識別情報を写真データに埋め込む識別情報埋め込み手段１１６と、識別情報と所在情報と許可情報との対応を含む写真管理情報を保存する写真管理情報保存手段１１７と、指定された印刷データに基づく印刷の指示をプリンタ部５２に対して行う印刷指示手段１１８と、スキャナ部５１が読み取った画像の中から識別情報を取得する識別情報取得手段１１９と、識別情報に対応する所在情報および許可情報を取得する所在・許可情報取得手段１２０と、その許可情報により写真データに基づく印刷が許可されると判断される場合にその所在情報が示す保存場所から写真データを読み出す写真データ読み出し手段１２１とを備えている。
【００３８】
なお、識別情報埋め込み手段１１６は、写真データの保存場所を特定するための情報を埋め込む情報埋め込み手段として捉えることもできる。また、識別情報が埋め込まれた写真データは、写真データの保存場所を特定するための情報が埋め込まれた情報付き写真データとして捉えることもできる。
また、識別情報取得手段１１９は、スキャンした写真の元となる写真データの保存場所を特定するための情報を取得する情報取得手段として捉えることもできる。
更に、図６には示していないが、写真管理情報保存手段１１７により保存された写真管理情報に含まれる保存期限を監視し、保存期限が到来した写真データを削除する削除手段を備えるようにしてもよい。
【００３９】
次に、本実施の形態における処理装置１０の処理動作について説明する。
図７は、写真データに基づくプリント処理の動作を示すフローチャートである。
まず、処理装置１０は、メディアリーダ２０を介して記録媒体に記録された写真のインデックス情報(例えば、サムネイル画像)を読み取り、ＵＩ部３０に表示する(ステップ７０１)。次に、ユーザが、表示されたインデックス情報を参照しながら、プリントしたい写真について枚数、許可情報、保存期間を指定すると、処理装置１０はＵＩ部３０を介してその指定を受け付ける(ステップ７０２)。なお、許可情報としては、第１の実施の形態と同様、例えば、プリントされた写真をスキャンすることにより写真データに基づく印刷を一切許可しない「コピー禁止」、プリントされた写真をスキャンすることにより写真データに基づく印刷を無条件に許可する「コピー許可」、プリントされた写真をスキャンすることにより写真データに基づく印刷をパスワードの一致を条件に許可する「パスワード付きコピー許可」のいずれかを指定することができる。このような許可情報の指定がなされると、許可情報受付手段１１２がそれを受け付ける。そして、処理装置１０は、全ての写真について、選択が完了したかどうかを判断し(ステップ７０３)、完了していない場合は、ステップ７０２に戻り、完了した場合は、ユーザからプリント開始の指示を受け付ける(ステップ７０４)。
【００４０】
これにより、写真データ取得手段１１１は、ユーザが選択した写真の写真データを、メディアリーダ２０を介して記録媒体から取得する。
次に、所在情報生成手段１１３は、写真データ取得手段１１１が取得した写真データの１つについて、その写真データを保存する保存場所を示す所在情報を生成する(ステップ７０５)。ここで、所在情報とは、写真データを自マシンに保存するのであれば、処理装置１０におけるディレクトリ、ファイルの情報である。また、サーバに保存するのであれば、ＵＲＬ(Uniform Resource Locator)が考えられる。
【００４１】
写真データ保存手段１１４は、この生成された所在情報により示される保存場所に写真データを保存する(ステップ７０６)。
また、識別情報生成手段１１５は、写真データを一意に識別する識別情報を生成する(ステップ７０７)。
更に、識別情報埋め込み手段１１６は、識別情報を写真データにWatermarkとして埋め込む(ステップ７０８)。
【００４２】
ここで、写真管理情報保存手段１１７は、図８に示すように、ステップ７０７で生成された識別情報と、ステップ７０５で生成された所在情報と、ステップ７０２で受け付けた許可情報および保存期間の情報とを対応付けた写真管理情報を、自マシンまたはサーバに保存する(ステップ７０９)。なお、許可情報が「パスワード付きコピー許可」である場合は、ステップ７０２で受け付けたパスワードも対応付けて記憶する。また、保存期間の情報としては、図８に示すように、現在日付と保存期間とから算出された保存期限の情報として保持するようにしてもよい。
最後に、印刷指示手段１１８は、Watermarkが埋め込まれた写真を印刷データに設定し、プリンタ部５２に写真のプリントを指示する(ステップ７１０)。
そして、処理装置１０は、次の写真があるかどうかを判断し(ステップ７１１)、次の写真がある場合は、ステップ７０５に戻り、次の写真がない場合は、処理を終了する。
【００４３】
このような処理を行った結果、プリンタ部５２では、識別情報を示すWatermarkが埋め込まれた写真がプリントされることになる。このようにしてプリントされた写真のイメージは、図４と同様のものとなる。
本実施の形態においても、第１の実施の形態と同様、例えば、写真の濃度の薄い領域に黒色のドットパターンを埋め込む方法、ある程度の範囲に亘って同色の領域にその色の補色のドットパターンを埋め込む方法等により、Watermarkは埋め込まれる。
【００４４】
図９は、以上のようにしてプリントされた写真のコピー処理の動作を示すフローチャートである。なお、写真にWatermarkがある場合は、厳密には、その写真の元となる写真データに基づく印刷処理の動作となるが、ここでは、第１の実施の形態と同様、そのような処理についても「コピー」という表現を用いることとする。
まず、ユーザが複写機５０のプラテン上にＬ判サイズ等の紙に印刷された写真を載せ、その写真のコピーを要求すると、スキャナ部５１が、その写真をスキャンし(ステップ９０１)、その結果を処理装置１０に受け渡す。次に、識別情報取得手段１１９が、スキャンした写真にWatermarkがあるかどうかを判断する(ステップ９０２)。
【００４５】
写真にWatermarkがあると判断された場合、所在・許可情報取得手段１２０は、先に写真管理情報保存手段１１７により保存された写真管理情報に、Watermarkに含まれる識別情報に所在情報や許可情報等が対応付けられた写真管理情報が含まれているかどうかを判断する(ステップ９０３)。そのような写真管理情報が含まれていれば、次に、所在・許可情報取得手段１２０は、その写真管理情報に含まれる許可情報が「コピー禁止」であるか「コピー許可」であるか「パスワード付きコピー許可」であるかを判断する(ステップ９０４)。ここで、「パスワード付きコピー許可」であれば、ユーザにパスワードの入力を促し、パスワードが入力されると、それを受け付け(ステップ９０５)、入力されたパスワードが写真管理情報に含まれるパスワードと一致するかどうかを判断する(ステップ９０６)。パスワードが一致する場合、あるいは、ステップ９０４で「コピー許可」であると判断された場合は、所在・許可情報取得手段１２０が、写真管理情報から所在情報を取得し(ステップ９０７)、写真データ読み出し手段１２１が、その所在情報が示す保存場所から写真データを読み出す(ステップ９０８)。そして、読み出した写真に識別情報を示すWatermarkを埋め込み(ステップ９０９)、Watermarkが埋め込まれた写真データを印刷データとして設定する(ステップ９１０)。
【００４６】
なお、ステップ９０９で埋め込むWatermarkとしては、スキャンした写真に埋め込まれていたものをそのまま用いてもよいし、スキャンした写真に埋め込まれた識別情報に対応する許可情報と異なる許可情報をユーザが指定した場合は、その指定された許可情報に対して新たに採番された識別情報を用いることとしてもよい。後者の場合、ステップ９０９でWatermarkを埋め込むに当たり、例えば、識別情報生成手段１１５が新たに識別情報を生成し、写真管理情報保存手段１１７が、その新たに生成された識別情報と、所在・許可情報取得手段１２０により取得された所在情報と、ユーザにより指定された許可情報との対応を含む写真管理情報を保存する構成を採用することができる。
【００４７】
一方、ステップ９０２でWatermarkがないと判断した場合、ステップ９０３で該当する写真管理情報が存在しないと判断された場合、ステップ９０４で許可情報が「コピー禁止」であると判断された場合、ステップ９０６で入力されたパスワードが写真管理情報に含まれるパスワードと一致しなかった場合は、ステップ９０１でスキャンされた写真をそのまま印刷データとして設定する(ステップ９１１)。
そして、印刷指示手段１１８が、この印刷データの印刷をプリンタ部５２に指示し(ステップ９１２)、写真の印刷が行われる。
【００４８】
以上により、本実施の形態の動作は終了する。
なお、本実施の形態では、許可情報として「コピー禁止」、「コピー許可」、「パスワード付きコピー許可」の３つを想定したが、許可情報はこれらに限られるものではない。例えば、「パスワード付きコピー許可」は、パスワードの一致を条件とする場合に限らず、一般的に何らかの条件が満たされた場合にコピーを許可する「条件付きコピー許可」と捉えることも可能である。
【００４９】
また、図９のフローチャートでは、ステップ９０９においてWatermarkを埋め込むこととしたが、Watermarkを埋め込むかどうかをユーザに問い合わせ、ユーザが指示した場合にのみWatermarkを埋め込むようにすることもできる。あるいは、コピーのコピーを確実に禁止できるよう、「コピー禁止」を含むWatermarkを無条件に埋め込むことも考えられる。または、ステップ９０９の処理を行わず、Watermarkを埋め込まないようにしてもよい。
【００５０】
更に、図９のフローチャートでは、許可情報を、自マシンまたはサーバに保存された写真データに基づく高品質な写真の印刷を制限するための情報と捉え、ステップ９０４で許可情報が「コピー禁止」であると判断された場合、および、ステップ９０４で許可情報が「パスワード付きコピー許可」であると判断され、その後、ステップ９０６でパスワードが一致しないと判断された場合は、ステップ９１１、９１２へ進み、スキャンデータの印刷は行えるような構成とした。しかしながら、許可情報を、スキャンした写真の通常のコピーをも制限する情報と捉え、以上のような場合は、処理を強制的に終了させるような構成としてもよい。
【００５１】
更にまた、図７のステップ７０９および図９のステップ９０９では所在情報も写真管理情報として保存し、図９のステップ９０７では写真管理情報から所在情報を取り出す構成としているが、所在情報については、写真管理情報に含めずに、プリント時には別途の手段により保存し、コピー時には別途の手段により供給する構成としてもよい。
【００５２】
また、本実施の形態によるサービスに対する課金の形態としては、コインキット方式が考えられる。即ち、コイン投入機に所定の金額が投入されたことを条件として、図７のプリント処理の場合は、ステップ７０１〜７１１の処理を、図９のコピー処理の場合は、ステップ９０１〜９１２の処理を行うようにすることができる。
また、写真のプリント時に、写真データの保管サービスに対する課金を行うことも可能である。即ち、ステップ７０２で指定した保存期間に応じた金額の投入をステップ７０４で要求し、この金額の投入を条件としてステップ７０５〜７１１の処理を行うように制御する課金手段を備えることができる。
【００５３】
このように、本実施の形態では、写真のプリント時に写真データを自マシンまたはサーバに保存するとともに、その写真データに基づく印刷の許可レベルを指定し、写真に埋め込んだ識別情報と保存場所を示す所在情報と許可レベルを示す許可情報との対応を残しておくようにした。これにより、写真のコピー時には、写真に埋め込まれた識別情報に基づき写真データの保存場所および印刷の許可レベルを特定し、印刷が許可される場合に、自マシンまたはサーバにおけるその保存場所から写真データを読み出して印刷することができるため、写真を複写機でコピーする感覚で良質な写真を得られるとともに、そこで得られた写真を用いて良質な写真を無制限に得ることを抑制することが可能となる。
【００５４】
（第３の実施の形態）
本実施の形態では、写真データに基づくプリントを行うＬ判サイズ等の紙に予め識別情報が付されている場合を想定する。ここで、識別情報としては、紙の裏面に管理番号を印刷しておいてもよいし、紙に埋め込んだ無線ＩＣチップ(例えば、「ミューチップ」等)に管理番号を記憶させておいてもよい。
【００５５】
まず、本実施の形態における処理装置１０の機能構成について説明する。
図１０は、処理装置１０の機能構成を示したブロック図である。
図１０に示すように、本実施の形態は、メディアリーダ２０で読み取られた写真データの中からＵＩ部３０を介して指定された写真データを取得する写真データ取得手段１３１と、プリントされた写真をスキャンすることにより写真データに基づく印刷をどの程度許可するかを示す許可情報を受け付ける許可情報受付手段１３２と、写真データの保存場所を示す所在情報を生成する所在情報生成手段１３３と、その所在情報が示す保存場所に写真データを保存する写真データ保存手段１３４と、写真がプリントされた紙に付された識別情報と所在情報と許可情報との対応を含む写真管理情報を保存する写真管理情報保存手段１３５と、指定された印刷データに基づく印刷の指示をプリンタ部５２に対して行う印刷指示手段１３６と、スキャナ部５１が読み取った画像の中から識別情報を取得する識別情報取得手段１３７と、識別情報に対応する所在情報および許可情報を取得する所在・許可情報取得手段１３８と、その許可情報により写真データに基づく印刷が許可されると判断される場合にその所在情報が示す保存場所から写真データを読み出す写真データ読み出し手段１３９とを備えている。
【００５６】
なお、識別情報取得手段１３７は、スキャンした写真の元となる写真データの保存場所を特定するための情報を取得する情報取得手段として捉えることもできる。
また、図１０には示していないが、写真管理情報保存手段１３５により保存された写真管理情報に含まれる保存期限を監視し、保存期限が到来した写真データを削除する削除手段を備えるようにしてもよい。
【００５７】
次に、本実施の形態における処理装置１０の処理動作について説明する。
図１１は、写真データに基づくプリント処理の動作を示すフローチャートである。
まず、処理装置１０は、メディアリーダ２０を介して記録媒体に記録された写真のインデックス情報(例えば、サムネイル画像)を読み取り、ＵＩ部３０に表示する(ステップ１１０１)。次に、ユーザが、表示されたインデックス情報を参照しながら、プリントしたい写真について枚数、許可情報、保存期間を指定すると、処理装置１０はＵＩ部３０を介してその指定を受け付ける(ステップ１１０２)。なお、許可情報とは、第１および第２の実施の形態と同様、例えば、プリントされた写真をスキャンすることにより写真データに基づく印刷を一切許可しない「コピー禁止」、プリントされた写真をスキャンすることにより写真データに基づく印刷を無条件に許可する「コピー許可」、プリントされた写真をスキャンすることにより写真データに基づく印刷をパスワードの一致を条件に許可する「パスワード付きコピー許可」のいずれかを指定することができる。このような許可情報の指定がなされると、許可情報受付手段１３２がそれを受け付ける。そして、処理装置１０は、全ての写真について、選択が完了したかどうかを判断し(ステップ１１０３)、完了していない場合は、ステップ１１０２に戻り、完了した場合は、ユーザからプリント開始の指示を受け付ける(ステップ１１０４)。
【００５８】
これにより、写真データ取得手段１３１は、ユーザが選択した写真について、メディアリーダ２０を介して記録媒体から写真データを取得する。
次に、所在情報生成手段１３３は、写真データ取得手段１３１が取得した写真データの１つについて、その写真データを保存する保存場所を示す所在情報を生成する(ステップ１１０５)。ここで、所在情報とは、写真データを自マシンに保存するのであれば、処理装置１０におけるディレクトリ、ファイルの情報である。また、サーバに保存するのであれば、ＵＲＬ(Uniform Resource Locator)が考えられる。
【００５９】
写真データ保存手段１３４は、この生成された所在情報により示される保存場所に写真データを保存する(ステップ１１０６)。
また、印刷指示手段１３６は、この写真データに基づき、写真をプリントする(ステップ１１０７)。このような処理によりプリントされる写真は、図４のようにWatermarkが埋め込まれたものではなく、Watermarkが埋め込まれない通常の写真である。
【００６０】
一方、このプリント処理の直前または直後に、プリンタ部５２にて、写真をプリントする紙に予め付された識別情報を認識する。例えば、識別情報が紙の裏面に印刷された管理番号である場合は、プリンタ部５２に設けられたＯＣＲ(Optical Character Reader)により管理番号を読み取る。また、識別情報が紙に埋め込まれた無線ＩＣチップに記憶された管理番号である場合は、プリンタ部５２の無線通信機能により管理番号を取得する。そして、識別情報取得手段１３７が、その識別情報を受け取る。
写真管理情報保存手段１３５は、ここで取得された識別情報と、ステップ１１０５で生成された所在情報と、ステップ１１０２で受け付けた許可情報および保存期間の情報とを対応付けた写真管理情報を、自マシンまたはサーバに保存する(ステップ１１０８)。
【００６１】
なお、ここで保存される写真管理情報は、例えば、図８に示すようなものとなる。但し、本実施の形態では、識別情報は、自動生成されたものではなく、写真を印刷した紙に予め付されていたものを読み取ったものである。
あるいは、識別情報は、写真をプリントする紙の入手時に自マシンまたはサーバに登録するようにしてもよい。その場合、ステップ１１０８では、読み取った識別情報を登録済の識別情報の中から検索し、検索された識別情報に対応付けて所在情報、許可情報、保存期間の情報を登録することになる。
そして、処理装置１０は、次の写真があるかどうかを判断し(ステップ１１０９)、次の写真がある場合は、ステップ１１０５に戻り、次の写真がない場合は、処理を終了する。
【００６２】
なお、本実施の形態では、以上のようにしてプリントされた写真のコピー処理の動作は、図９のフローチャートに従って行われる。
この場合、ステップ９０１では、例えば、識別情報が紙の裏面に印刷された管理番号である場合は、スキャナ部５１を両面スキャナにて構成し、表面の写真と裏面の識別情報を同時にスキャンすることができる。あるいは、スキャナ部５１を片面スキャナにて構成し、表面の写真と裏面の識別情報を所定の順序でスキャンすることもできる。一方、識別情報が紙に埋め込まれた無線ＩＣチップに記憶された管理番号である場合は、スキャナ部５１で写真をスキャンするときに、無線通信機能により識別情報を取得するようにすればよい。
【００６３】
以上により、本実施の形態の動作は終了する。
なお、本実施の形態では、許可情報として「コピー禁止」、「コピー許可」、「パスワード付きコピー許可」の３つを想定したが、許可情報はこれらに限られるものではない。例えば、「パスワード付きコピー許可」は、パスワードの一致を条件とする場合に限らず、一般的に何らかの条件が満たされた場合にコピーを許可する「条件付きコピー許可」と捉えることも可能である。
【００６４】
また、図９のフローチャートでは、ステップ９０９においてWatermarkを埋め込むこととしたが、Watermarkを埋め込むかどうかをユーザに問い合わせ、ユーザが指示した場合にのみWatermarkを埋め込むようにすることもできる。あるいは、コピーのコピーを確実に禁止できるよう、「コピー禁止」を含むWatermarkを無条件に埋め込むことも考えられる。または、ステップ９０９の処理を行わず、Watermarkを埋め込まないようにしてもよい。
【００６５】
更に、図９のフローチャートでは、許可情報を、自マシンまたはサーバに保存された写真データに基づく高品質な写真の印刷を制限するための情報と捉え、ステップ９０４で許可情報が「コピー禁止」であると判断された場合、および、ステップ９０４で許可情報が「パスワード付きコピー許可」であると判断され、その後、ステップ９０６でパスワードが一致しないと判断された場合は、ステップ９１１、９１２へ進み、スキャンデータの印刷は行えるような構成とした。しかしながら、許可情報を、スキャンした写真の通常のコピーをも制限する情報と捉え、以上のような場合は、処理を強制的に終了させるような構成としてもよい。
【００６６】
更にまた、図１１のステップ１１０８および図９のステップ９０９では所在情報も写真管理情報として保存し、図９のステップ９０７では写真管理情報から所在情報を取り出す構成としているが、所在情報については、写真管理情報に含めずに、プリント時には別途の手段により保存し、コピー時には別途の手段により供給する構成としてもよい。
【００６７】
また、本実施の形態によるサービスに対する課金の形態としては、コインキット方式が考えられる。即ち、コイン投入機に所定の金額が投入されたことを条件として、図１１のプリント処理の場合は、ステップ１１０１〜１１０９の処理を、図９のコピー処理の場合は、ステップ９０１〜９１２の処理を行うようにすることができる。
また、写真のプリント時に、写真データの保管サービスに対する課金を行うことも可能である。即ち、ステップ１１０２で指定した保存期間に応じた金額の投入をステップ１１０４で要求し、この金額の投入を条件としてステップ１１０５〜１１０９の処理を行うように制御する課金手段を備えることができる。
【００６８】
このように、本実施の形態では、写真のプリント時に写真データを自マシンまたはサーバに保存するとともに、その写真データに基づく印刷の許可レベルを指定し、紙等の媒体に予め付された識別情報と保存場所を示す所在情報と許可レベルを示す許可情報との対応を残しておくようにした。これにより、写真のコピー時には、媒体に付された識別情報に基づき写真データの保存場所および印刷の許可レベルを特定し、印刷が許可される場合に、自マシンまたはサーバにおけるその保存場所から写真データを読み出して印刷することができるため、写真を複写機でコピーする感覚で良質な写真を得られるとともに、そこで得られた写真を用いて良質な写真を無制限に得ることを抑制することが可能となる。
【図面の簡単な説明】
【００６９】
【図１】本発明の実施の形態が適用されるシステムのハードウェア構成を示したブロック図である。
【図２】本発明の第１の実施の形態における処理装置の機能構成を示したブロック図である。
【図３】本発明の第１の実施の形態におけるプリント処理の動作を示したフローチャートである。
【図４】本発明の第１および第２の実施の形態でプリントされた写真の一例を示した図である。
【図５】本発明の第１の実施の形態におけるコピー処理の動作を示したフローチャートである。
【図６】本発明の第２の実施の形態における処理装置の機能構成を示したブロック図である。
【図７】本発明の第２の実施の形態におけるプリント処理の動作を示したフローチャートである。
【図８】本発明の第２および第３の実施の形態で登録される写真管理情報の一例を示した図である。
【図９】本発明の第２および第３の実施の形態におけるコピー処理の動作を示したフローチャートである。
【図１０】本発明の第３の実施の形態における処理装置の機能構成を示したブロック図である。
【図１１】本発明の第３の実施の形態におけるプリント処理の動作を示したフローチャートである。
【符号の説明】
【００７０】
１０…処理装置、１０１，１１１，１３１…写真データ取得手段、１０２，１１２，１３２…許可情報受付手段、１０３，１１３，１３３…所在情報生成手段、１０４，１１４，１３４…写真データ保存手段、１０５…所在・許可情報埋め込み手段、１０６，１１８，１３６…印刷指示手段、１０７，１２０，１３８…所在・許可情報取得手段、１０８，１２１，１３９…写真データ読み出し手段、１１５…識別情報生成手段、１１６…識別情報埋め込み手段、１１７，１３５…写真管理情報保存手段、１１９，１３７…識別情報取得手段、２０…メディアリーダ、３０…ＵＩ部、４０…記録装置、５０…複写機、５１…スキャナ部、５２…プリンタ部
【図１】
2005066950.tif 000003
【図２】
2005066950.tif 000004
【図３】
2005066950.tif 000005
【図４】
2005066950.tif 000006
【図５】
2005066950.tif 000007
【図６】
2005066950.tif 000008
【図７】
2005066950.tif 000009
【図８】
2005066950.tif 000010
【図９】
2005066950.tif 000011
【図１０】
2005066950.tif 000012
【図１１】
2005066950.tif 000013